(57)【特許請求の範囲】
【請求項１】
装置本体内部に設置される撮影光学系と、記録装置の種類に応じて装置本体に交換可能にセットされ、内部にリレーレンズを有して前記撮影光学系からの像形成光束を該リレーレンズを介して前記記録装置の撮像面にリレーするリレーレンズユニットとから構成される眼科用撮影装置において、
前記撮影光学系は、その光路に挿脱可能又は光軸に沿って移動可能に配置された変倍レンズと、前記変倍レンズの挿脱又は移動に伴って変化する前記リレーレンズの入射瞳位置をほぼ一定に維持し、且つ中間結像点よりも対物レンズ側であって前記装置本体内部に配置される補助レンズとを備え、
前記補助レンズは複数種類用意され、前記補助レンズを前記変倍レンズの挿脱又は移動に連動して光路内に挿脱せしめる連動制御手段を設ける一方、
前記連動制御手段は、記録装置の種類を選択する記録装置選択スイッチの出力に基づき連動状態と連動解除状態との間で切り替わるように構成されていることを特徴とする眼科用撮影装置。
【請求項２】
前記撮像面がＴＶカメラの撮像素子の受像面であり、前記リレーレンズの入射瞳位置と前記リレーレンズの前側焦点位置とがほぼ一致するように構成されていることを特徴とする請求項１に記載の眼科用撮影装置。
【請求項３】
前記撮像素子が複数個設けられ、前記リレーレンズと前記撮像素子との間に色分解光学系が設けられていることを特徴とする請求項２に記載の眼科用撮影装置。
【請求項４】
前記リレー光学系が３５ｍｍフィルム用リレー光学系又はインスタントフィルム用リレー光学系であり、前記リレーレンズの入射瞳位置が前記リレーレンズの近傍又は内部に存在するように、前記フィールドレンズの焦点距離が設定されていることを特徴とする請求項１に記載の眼科用撮影装置。
【請求項５】
前記補助レンズが複数個のリレーレンズに共用されていることを特徴とする請求項１に記載の眼科用撮影装置。
【発明の詳細な説明】
【０００１】
【発明の属する技術分野】
この発明は、撮影光学系の光路に挿入、離脱又は光軸上を移動するレンズにより撮影倍率を変更する機能を有する眼科用撮影装置の改良に関する。
【０００２】
【従来の技術】
変倍用のレンズ、乱視補正用のレンズ、前眼部用のレンズ等の撮影光学系の光路への挿入、離脱に応じてその他のレンズを追加、交換して光学的補正を行う眼科用撮影装置が特開平４−２９５３３３号公報によって知られている。
【０００３】
図１は、この種の機能を有する眼底カメラを模式的に示したものである。図１において、１は照明光学系、２は撮影光学系である。照明光学系１は凹面鏡３、照明用のハロゲンランプ４、リレーレンズ５、撮影用のキセノンランプ６、コンデンサーレンズ７、反射ミラー８、リングスリット９、リレーレンズ１０から大略構成され、孔あきミラー１１、対物レンズ１２を介して被検眼１３の眼底１４に照明光を導くように構成されている。
【０００４】
撮影光学系２は、装置本体内部に設置の撮影光学系２Ａと装置本体に交換可能にセットされて撮影光学系２Ａに光学的に接続されるリレー光学系２Ｂとから構成され、撮影光学系２Ａは対物レンズ１２、孔あきミラー１１、合焦レンズ１５、結像レンズ１６、クイックリターンミラー１７から大略構成されている。リレー光学系２Ｂは例えばフィールドレンズ１８、反射ミラー２０、リレーレンズ２１、撮像素子２２から大略構成されている。
フィールドレンズ１８、反射ミラー２０、リレーレンズ２１、撮像素子２２はリレーレンズユニットとから構成され、装置本体に交換可能にセットされる。
【０００５】
眼底１４により反射された像形成光束は、撮影光学系２Ａにより、対物レンズ１２の後方に一旦結像され、孔空きミラー１１の孔部１１ａを通って、フィールドレンズ１８の近傍の点（中間結像点）１９に再度結像され、リレーレンズ２１により最終的に撮像素子２２の撮像面に結像される。この中間結像点１９の位置には、視野絞り２０´が設けられている。また、結像レンズ１６とクイックリターンミラー１７との間には変倍レンズ２２が挿脱可能に設けられている。なお、中間結像点１９はフィルムＦと共役である。
【０００６】
また、フィールドレンズ１８の後方には補助レンズ２３が挿脱自在に配置されている。これにより変倍レンズ２２の挿脱に伴うリレーレンズ２１に対する入射瞳位置の変化を防止している。
【０００７】
特に、色分解光学系を有するＴＶカメラが装着されたリレー光学系を装置本体にセットして撮像する場合、特開平５−４１８６９号公報に記載されているように、カラーシェージングの発生を避けるために、像側にテレセントリックとなるようにフィールドレンズの焦点距離が設定されている。
【０００８】
なお、この種の眼科用撮影装置では、装置本体にリレー光学系としてのＴＶカメラに代えて、３５ｍｍフィルム用リレー光学系、インスタントフィルム用リレー光学系をセットする場合がある。これらの３５ｍｍフィルム用リレー光学系、インスタントフィルム用リレー光学系の場合には、そのリレーレンズの入射瞳を変倍によらず一定に維持するための補助レンズが設けられていなかった。
その理由は次の通りである。
（１）３５ｍｍフィルム用リレー光学系にセットされる撮像面としての３５ｍｍフィルムの特性、インスタントフィルム用リレー光学系にセットされる撮像面としてのインスタントフィルムの特性上、光線がその撮像面に斜めに入射してもカラーシェージングが発生しない。
（２）撮像面の面積が大きく、かつ、リレーレンズの倍率が大きいので、リレーレンズの物像間距離Ｌ２に距離に較べて、中間結像点からリレーレンズまでの距離Ｌ１が小さく、補助レンズを設けて入射瞳を一定にしなくとも、リレーレンズをそれほど大きくする必要がない。
以下に、リレー光学系を３５ｍｍフィルム用光学系、インスタントフィルム用光学系、ＴＶカメラの光学系とした場合のリレーレンズの比較表を示す。
【表１】
0003909919.tif 000002
但し、物像間距離Ｌ２は２００ｍｍである。
【０００９】
【発明が解決しようとする課題】
しかし、この従来の装置は、操作が非常に煩雑で、操作のミスにより撮影を失敗する可能性も少なくなかった。即ち、変倍レンズは装置本体側にあるため、その切替えスイッチは装置本体側に設けられる一方、補助レンズは装置本体とは別のリレーレンズユニットにあるため、その切替えスイッチはリレーレンズユニット側に設けられていた。そのため、変倍レンズの切換えに対応して補助レンズを切り替えることを忘れることが多かった。
また、変倍レンズは装置本体側に存在し、補助レンズは装置本体に取り付けられるリレーレンズユニット側に存在するため、変倍レンズの交換に連動して補助レンズを自動的に挿脱する機構を設けることは技術的にもコスト的にも困難である。
【００１０】
本発明は、上記の事情に鑑みて為されたもので、その目的は、装置本体の構造を複雑化することなく、かつ、コストアップを生じることなく、変倍操作に応じて補助レンズの切替え忘れを防止できる眼科用撮影装置を提供することにある。
【００１１】
【課題を解決するための手段】
請求項１に記載の発明は、上記の課題を解決するために、装置本体内部に設置される撮影光学系と、記録装置の種類に応じて装置本体に交換可能にセットされ、内部にリレーレンズを有して前記撮影光学系からの像形成光束を該リレーレンズを介して前記記録装置の撮像面にリレーするリレーレンズユニットとから構成される眼科用撮影装置において、前記撮影光学系は、その光路に挿脱可能又は光軸に沿って移動可能に配置された変倍レンズと、前記変倍レンズの挿脱又は移動に伴って変化する前記リレーレンズの入射瞳位置をほぼ一定に維持し、且つ中間結像点よりも対物レンズ側であって前記装置本体内部に配置される補助レンズとを備え、前記補助レンズは複数種類用意され、前記補助レンズを前記変倍レンズの挿脱又は移動に連動して光路内に挿脱せしめる連動制御手段を設ける一方、前記連動制御手段は、記録装置の種類を選択する記録装置選択スイッチの出力に基づき連動状態と連動解除状態との間で切り替わるように構成されていることを特徴とする。
請求項２に記載の発明は、前記撮像面がＴＶカメラの撮像素子の受像面であり、前記リレーレンズの入射瞳位置と前記リレーレンズの前側焦点位置とがほぼ一致するように構成されていることを特徴とする。
請求項３に記載の発明は、前記撮像素子が複数個設けられ、前記リレーレンズと前記撮像素子との間に色分解光学系が設けられていることを特徴とする。
請求項４に記載の発明は、前記リレー光学系が３５ｍｍフィルム用リレー光学系又はインスタントフィルム用リレー光学系であり、前記リレーレンズの入射瞳位置が前記リレーレンズの近傍又は内部に存在するように、前記フィールドレンズの焦点距離が設定されていることを特徴とする。
請求項５に記載の発明は、前記補助レンズが複数個のリレーレンズに共用されている。
【００１２】
【発明の実施の形態】
図２は眼科撮影用装置としての眼底カメラの斜視図を示している。図２において、３０は装置本体、３９はリレーレンズユニットが内蔵されたアタッチメント部材、２００は変倍切替えスイッチ、３００は記録装置選択スイッチである。
この装置本体３０の内部には図３に示すように照明光学系３１、撮影光学系３２が内蔵されている。この図３において、従来の光学系と同一構成要素については同一番号を付してその詳細な説明を省略することとし、異なる部分についてのみ説明することとする。
【００１３】
アタッチメント部材３９は装置本体３０に交換可能にセットされる。アタッチメント部材３９の内部にはリレー光学系４０が内蔵されている。そのリレー光学系４０は装置本体３０にアタッチメント部材３９をセットすることにより撮影光学３２に光学的に接続される。リレー光学系４０はフィールドレンズ４１と反射ミラー４２とリレーレンズ４３とから大略構成されている。
装置本体３０には画像記録部７０が取り付けられている。画像記録部７０の内部にはクイックリターンミラー７１が設けられ、このクイックリターンミラー７１の切換によって、撮影光学系３２からの像形成光束はフィルムＦまたは接眼光学系７２へと導かれる。接眼光学系７２には、フィールドレンズ７３、反射ミラー７４、接眼レンズ７５が設けら、この接眼光学系７２を通じて従来と同様に眼底１４を肉眼観察することができる。
【００１４】
また撮影光学系３２には、複数個の変倍レンズ３３、３４、３５が準備され、この変倍レンズ３３、３４、３５は合焦レンズ１５と結像レンズ１６との間の光路に挿脱可能に設けられている。その変倍レンズ３３は例えば画角５０度用であり、変倍レンズ３４は画角３５度用であり、変倍レンズ３５は画角２０度用である。
その撮影光学系３２には、中間結像点１９と結像レンズ１６との間の光路に補助レンズが挿脱可能に設けられている。この補助レンズは変倍レンズ３３、３４、３５に対応して設けられ、符号３６は変倍レンズ３３が光路に挿入されたときに、この変倍レンズ３３の光路への挿入に機械的に連動して光路に挿入される補助レンズとしての凹レンズであり、符号３７は変倍レンズ３４が光路に挿入されたときに、この変倍レンズ３４の光路への挿入に機械的に連動して光路に挿入される補助レンズとしてのダミーガラスであり、符号３８は変倍レンズ３５が光路に挿入されたときに、この変倍レンズ３５の光路への挿入に機械的に連動して光路に挿入される補助レンズとしての凸レンズである。この各変倍レンズ３３、３４、３５の撮影光学系３２の光路への挿脱に機械的に連動させて、各補助レンズ３６、３７、３８をその光路へ挿脱する構成については、単なるリンク機構を用いて機械的に連動させることができるので、その図示は省略する。
【００１５】
また、機械的な連動機構の代わりに、図１６に示すような構成を採用しても良い。すなわち、図１６に示すように、連動制御手段としての連動制御回路１００は、変倍切替えスイッチ２００からの出力に応じてソレノイド３６´、３７´、３８´のいずれかに対して駆動信号を出力する。
例えば、変倍切替えスイッチ２００により画角５０度が選択された場合には、ソレノイド３６´に対して駆動信号を出力し、これによりソレノイド３６´を駆動させ、補助レンズ３６が光路に自動的に挿入される。
このような変倍レンズ３３〜３５の挿脱に応じて補助レンズ３６〜３８を自動的に挿脱する連動機構は、従来例のようなリレーレンズユニット側に補助レンズがある眼底カメラでは採用は困難である。即ち、従来例では、補助レンズ駆動用のソレノイド等もリレーレンズユニット内に配置せざるを得ないから、リレーレンズユニットが大型化する不利は避けられないし、眼底カメラ本体３０とリレーレンズユニットとの間に電気接点を設ける必要があるから、耐久性の点でも不利である。他方、本発明は、従来リレーレンズユニット側に存在していた補助レンズを眼底カメラ本体３０に配置したので、かかる不利がない。
【００１６】
図４〜図６は、図３のクイックリターンミラー１７近辺を拡大した図である。そして、図４はクイックリターンミラー１７近辺を側面から見たもの、図５は図４を矢印Ａ方向から見たもの、図６は図４を矢印Ｂ方向から見たものである。
各図に示すように、撮影光学系３２にはクイックリターンミラー１７が設けられ、このクイックリターンミラー１７は揺動軸１７Ａを中心にして矢印Ｃのように揺動自在である。図３には示してないが、眼科用撮影装置は主画像の他に被検者の名前や撮影日時等の副画像も同時に記録できるように構成されており、その副画像をフィルムＦや撮像素子４４に投影するための副画像投影光学系８０が設けられている。副画像投影光学系８０は、７セグメントＬＥＤ８１、反射ミラー８２、クイックリターンミラー８３を有し、さらにクイックリターンミラー８３後方のアッパー系に設けられた反射ミラー８４、８５およびリレーレンズ８６と、ロアー系に設けられた反射ミラー８７、８８およびリレーレンズ８９とから大略構成されている。
【００１７】
クイックリターンミラー８３はクイックリターンミラー１７の近傍に設けられ、このクイックリターンミラー８３は揺動軸８３Ａを中心にして矢印Ｄのように揺動自在である。クイックリターンミラー８３の揺動軸８３Ａはクイックリターンミラー１７の揺動軸１７Ａに平行に配置され、またクイックリターンミラー１７が揺動すれば、それに合わせてクイックリターンミラー８３も揺動する。すなわち、クイックリターンミラー１７が図４の実線の位置にあるときはクイックリターンミラー８３も実線の位置にあり、クイックリターンミラー１７が破線の位置へ揺動したときはクイックリターンミラー８３も破線の位置へ揺動する。なお、クイックリターンミラー１７の揺動角度は５０度、クイックリターンミラー８３の揺動角度は４５度に設定されている。
【００１８】
また、クイックリターンミラー１７後方のクイックリターンミラー７１は、前述したように画像記録部７０の内部に設けられたもので、このクイックリターンミラー７１は揺動軸７１Ａを中心に矢印Ｅのように揺動自在であり、その揺動角度は５０度に設定されている。
【００１９】
眼科用測定装置においては、通常、クイックリターンミラー１７の中心から中間結像点１９までの距離ｄ１は、クイックリターンミラー１７の中心からフィルムＦまでの距離ｄ２に等しく設定されている。そのため、アッパー系におけるレンズ８６のレンズ面から中間結像点１９までの距離ｄ３と、ロアー系におけるレンズ８９のレンズ面からフィルムＦまでの距離ｄ４とは等しくなっている。
ところが、リレーレンズ４３（図３参照）の入射瞳位置をほぼ一定に維持するために補助レンズ３６（又は３７、３８）を撮影光学系に設けると、距離ｄ１は距離ｄ２からずれてしまい、これによって、アッパー系における主画像と副画像とのピントずれを生じる。そのピントずれのずれ量Δｄは、補助レンズの厚さｔを２ｍｍ、補助レンズの屈折率ｎを１.５２としたとき、以下の式から０.６８ｍｍとなる。
Δｄ＝（１−１／ｎ）×ｔ＝０.６８ｍｍ
【００２０】
そこで、本実施の形態では、図５に示すように、副画像投影光学系８０のアッパー系に平行平面板としてダミーガラス９０が設けられている。このダミーガラス９０は補助ガラスと同じ材質のもので構成され、更に板厚も補助ガラスと同じ厚さになっている。このようなダミーガラス９０を設けると、副画像のピント位置が主画像のピント位置に一致して、アッパー系における主画像と副画像とのピントずれを補正することができる。
【００２１】
図７は図５をＧ方向からみた図であり、補助レンズ３６とダミーガラス９０との配置関係を示している。また、図８はフィルムＦが設けられる視野絞りの正面図である。
【００２２】
図９は、副画像投影光学系８０のアッパー系にダミーガラス９０が設けられた様子を、ロアー系と対比させて示したものである。図に示すように、アッパー系のリレーレンズ８６による結像位置（中間結像点１９）は、ダミーガラス９０によって、ロアー系のリレーレンズ８９による結像位置（フィルムＦ）よりΔｄだけずらせることができ、補助レンズによる主画像のピント位置のずれ量をΔｄとすれば、副画像のピント位置と主画像のピント位置とは一致する。
【００２３】
ダミーガラス９０を設ける代わりに、副画像投影光学系８０のアッパー系に設けられた、例えばリレーレンズ８６を光軸方向に移動させるようにしても、同様な作用効果が得られる。その様子を図１０に示す。図１０もロアー系と対比させて示したものである。図に示すように、リレーレンズ８６を光軸方向にΔｔ移動させることによって、アッパー系のリレーレンズ８６による結像位置（中間結像点１９）は、ロアー系のリレーレンズ８９による結像位置（フィルムＦ）よりΔｄだけずらせることができる。この場合も、補助レンズによる主画像のピント位置のずれ量をΔｄとすれば、副画像のピント位置と主画像のピント位置とは一致する。
【００２４】
リレーレンズ８６の移動量Δｔは次式で求められる。
Δｔ＝（１−β2）Δｄ
ここで、βはリレーレンズ８６の倍率、Δｄはピントずれ量である。前述したようにΔｄは０.６８ｍｍであるから、βを０.３とすれば、上記式によりリレーレンズ８６の移動量Δｔは０.６２ｍｍとなる。
【００２５】
本実施の形態では、変倍切替えスイッチ２００が操作された場合には必ず補助レンズ３６〜３８が自動的に切り替わるように構成したが、これに限らず、記録装置の種類に応じて、連動を解除するようにしてもよい。例えば、眼底カメラには、従来から、図１７に示すようにポラロイドカメラ（インスタントカメラ）、３５ｍｍカメラ、ＴＶカメラのように、使用される記録装置を選択する記録装置選択スイッチ３００があるが、この記録装置選択スイッチ３００からの出力に基づき、連動状態と連動解除状態とを切り換えるようにしてもよい。例えば、インスタントカメラや３５ｍｍカメラで撮影を行う場合にはカラーシェーディングの問題は生じないため、連動解除状態とし、変倍切替えスイッチ２００が操作されても、補助レンズ３６〜３８が切り替わらないようにすることもできる。
【００２６】
アタッチメント部材３９は、このアタッチメント部材に装着されている撮像面の特性に応じて複数個準備されており、図３には三板式カメラ４４が装着されているアタッチメント部材３９が示されている。三板式カメラ４４は図１１に模式的に示すように色分解光学系４５としての色分解プリズムと３個の撮像素子４６、４７、４８を有する。その三板式カメラ４４の撮像素子４６、４７、４８の大きさは１／２サイズであり、リレー倍率は０.２である。中間結像点１９には視野絞り４９が設けられている。
【００２７】
図１１には撮像面の特性に応じて準備された各アタッチメント部材に内蔵されているリレー光学系が示されており、符号５０は単板式カメラ用リレー光学系を示し、符号５１は３５ｍｍフィルム用リレー光学系を示し、符号５２はインスタントフィルム用リレー光学系を示している。単板式カメラ用リレー光学系５０は視野絞り５３、フィールドレンズ５４、リレーレンズ５５、撮像素子５６からなっており、撮像素子５６の大きさは１／２サイズ、リレー倍率は０.２である。３５ｍｍフィルム用リレー光学系５１は視野絞り５７、フィールドレンズ５８、リレーレンズ５９、３５ｍｍフィルム６０からなっており、その３５ｍｍフィルム６０の撮像面の大きさは２４×３６ｍｍであり、リレー倍率は１.０である。インスタントフィルム用リレー光学系５２は視野絞り６１、フィールドレンズ６２、リレーレンズ６３、インスタントフィルム６４からなっており、そのインスタントフィルム６４の大きさは７８×７８ｍｍであり、リレー倍率は２.８である。
ここでは、比較説明するため、これらのリレー光学系４０、５０、５１、５２は中間結像点１９から撮像面までの物像間距離Ｌ２が等しく設定されている。また、中間結像点１９から各リレーレンズ４３、５５、５９、６３までの距離Ｌ１は、三板式カメラ用リレー光学系、単板式カメラ用リレー光学系、３５ｍｍフィルム用リレー光学系、インスタントフィルム用リレー光学系の順番に小さくなっている。なお、三板式カメラの場合、色分解プリズムが存在するので、物像間距離Ｌ２は他のリレー光学系に較べて距離Δだけ長い。
今、中間結像点１９からリレーレンズ４３の入射瞳位置６５までの距離をＬ３とすると、この距離Ｌ３は各リレーレンズ４３、５５、５９、６３によって異なり、従って、各フィールドレンズ４１、５４、５８、６２の焦点距離Ｆ１、Ｆ２、Ｆ３、Ｆ４を、Ｆ２＞Ｆ１＞Ｆ３＞Ｆ４の長さの順に設定する。
【００２８】
リレー光学系４０のフィールドレンズ４１の焦点距離Ｆ１はリレーレンズ４３の前側焦点位置と一致するように設計されている。また、単板式カメラ用リレー光学系５０、３５ｍｍフィルム用リレー光学系５１、インスタントフィルム用リレー光学系５２の場合には、各リレーレンズ５５、５９、６３の近傍又はその内部にリレーレンズの入射瞳位置が存在するように各フィールドレンズ５４、５８、６２の焦点距離が設定されている。なお、その図１１において、符号Ｈは各リレーレンズの前側主平面を示し、Ｈ´は後側主平面を示す。
【００２９】
例えば、従来の３５ｍｍフィルム用リレー光学系を装置本体にセットすると、図１２（ａ）ないし図１２（ｃ）に示すように、変倍レンズ３３、３４、３５を撮影光学系３２の光路に挿入すると、入射瞳位置Ｍが変化するが、この発明の実施の形態によれば、図１３に示すように変倍レンズ３３、３４、３５に応じて補助レンズ３６、３７、３８が撮影光学系３２の光路に挿入されるので、入射瞳位置Ｍが一定に維持される。図１４はこの発明の実施の形態に係わるインスタントフィルム用リレー光学系を装置本体にセットした場合を示し、図１５は三板式カメラ用リレー光学系を装置本体にセットした場合を示し、いずれの場合にも変倍レンズ３３、３４、３５の交換に拘らず入射瞳位置Ｍが一定に保持される。なお、上述したようにインスタントフィルムや３５ｍｍフィルムで撮影する場合には、連動制御がされないようにしてもよい。
【００３０】
以上、この発明の実施の形態では、変倍レンズ３３、３４、３５を撮影光学系３２の光路に挿脱することにより変倍を行うことにしたが、レンズをその撮影光学系３２の光路に沿って移動させるズーム方式においても本発明を適用できるものである。例えば、５０度から２０度の範囲内でズーム方式により変倍を行う時には、低倍率域（５０度から４０度まで）、中倍率域（４０度から３０度まで）、高倍率域（３０度から２０度まで）の三領域に区分して、この倍率域に対応する補助レンズを準備すれば良い。
【００３１】
【発明の効果】
この発明に係わる眼科用撮影装置は、以上説明したように構成したので、装置本体の構造を複雑化することなく、かつ、コストアップを生じることなく、変倍操作に応じて補助レンズの切替え忘れを防止できるという効果を奏する。
また、リレーレンズに対する射出瞳の位置が一定に保持されるので、リレーレンズ用光学系を小型化できるという効果、撮像面の特性に応じてフィールドレンズの焦点距離が設定されており、リレーレンズの入射瞳位置が変倍によらず一定に維持されるので、リレーレンズの性能の良好化を図ることができるという効果を奏する。
【図面の簡単な説明】
【図１】変倍レンズの挿脱に応じて補助レンズを挿脱するタイプの従来の眼科用撮影装置の光学図である。
【図２】本発明に係わる眼科用撮影装置の一例を示す外観図である。
【図３】本発明に係わる眼科用撮影装置の光学図であり、装置本体にＴＶカメラ用リレーレンズ系をセットした状態を示す図である。
【図４】本発明に係わる眼科用撮影装置の要部構成図である。
【図５】図４をＡ方向から見た図である。
【図６】図４をＢ方向から見た図である。
【図７】図５をＧ方向から見た図である。
【図８】フィルムが装着される視野絞りの正面図である。
【図９】副画像投影光学系のアッパー系にダミーガラスが設けられた様子を、ロアー系と対比させて示した図である。
【図１０】副画像投影光学系のアッパー系のリレーレンズを移動させる様子を、ロアー系と対比させて示した図である。
【図１１】本発明に係わる眼科撮影用装置の光学図の模式図であり、三板式ＴＶカメラ用リレー光学系、単板式ＴＶカメラ用リレー光学系、３５ｍｍフィルム用リレー光学系、インスタントフィルム用リレー光学系と撮影光学系との関係が模式的に示されている。
【図１２】撮影光学系と従来の３５ｍｍフィルム用リレー光学系との関係を模式的に示した光学図であり、変倍レンズの撮影光学系の光路への挿脱により、入射瞳位置が変化している状態を示している。
【図１３】撮影光学系と本発明に係わる３５ｍｍフィルム用リレー光学系との関係を模式的に示した光学図であり、変倍レンズの撮影光学系の光路への挿脱に拘らず入射瞳位置が一定である状態を示している。
【図１４】撮影光学系と本発明に係わるインスタントフィルム用リレー光学系との関係を模式的に示した光学図であり、変倍レンズの撮影光学系の光路への挿脱に拘らず入射瞳位置が一定である状態を示している。
【図１５】撮影光学系と本発明に係わる三板式ＴＶカメラ用リレー光学系との関係を模式的に示した光学図であり、変倍レンズの撮影光学系の光路への挿脱に拘らず入射瞳位置が一定である状態を示している。
【図１６】本発明の連動制御手段の他の例を示すブロック回路図である。
【図１７】図２に示す記録装置選択スイッチの一例を示す説明図である。
【符号の説明】
１２  対物レンズ
１６  結像レンズ
１９  中間結像点
３０  装置本体
３２  撮影光学系
３３，３４，３５  変倍レンズ
３６，３７，３８  補助レンズ
４０，５０，５１，５２  リレー光学系
４１、５４，５８，６２  フィールドレンズ
Ｍ  入射瞳位置
【図１】
0003909919.tif 000003
【図２】
0003909919.tif 000004
【図３】
0003909919.tif 000005
【図４】
0003909919.tif 000006
【図５】
0003909919.tif 000007
【図６】
0003909919.tif 000008
【図７】
0003909919.tif 000009
【図８】
0003909919.tif 000010
【図９】
0003909919.tif 000011
【図１０】
0003909919.tif 000012
【図１１】
0003909919.tif 000013
【図１２】
0003909919.tif 000014
【図１３】
0003909919.tif 000015
【図１４】
0003909919.tif 000016
【図１５】
0003909919.tif 000017
【図１６】
0003909919.tif 000018
【図１７】
0003909919.tif 000019